(57)【特許請求の範囲】
【請求項１】
２人のアスリート（１、２）、特に走者のトレーニング又は２人のアスリート（１、２）間の競技を実施するためのシステムであって、前記システムは、
第１のアスリート（１）のための第１のスポーツ用衣服（３）であって、前記第１のスポーツ用衣服（３）は、前記第１のアスリート（１）に信号を発するための少なくとも１つの第１の信号要素（４）を備え、前記第１の信号要素（４）は、光学信号を発することができ前記第１のスポーツ用衣服（３）に固定された、光ファイバー、ガラスファイバー、又はエレクトロルミネセント要素であり、前記第１のスポーツ用衣服（３）は、特に第１の携帯電話である第１の通信要素（５）を備えるか、又は前記第１の通信要素（５）と接続状態にあり、前記第１の通信要素（５）はＧＰＳモジュール（６）を備え、
前記第１のアスリート（１）によってカバーされた実際の距離（Ｓ１）を測定するために、第１の制御及び／又は計算手段（７）が、前記第１の通信要素（５）に又は前記第１の通信要素（５）内に配置されている、第１のスポーツ用衣服（３）と、
第２のアスリート（２）のための第２のスポーツ用衣服（８）であって、前記第２のスポーツ用衣服（８）は、前記第２のアスリート（２）に信号を発するための少なくとも１つの第２の信号要素（９）を備え、前記第２の信号要素（９）は、光学信号を発することができ前記第２のスポーツ用衣服（８）に固定された、光ファイバー、ガラスファイバー、又はエレクトロルミネセント要素であり、前記第２のスポーツ用衣服（８）は、特に第２の携帯電話である第２の通信要素（１０）を備えるか、又は第２の通信要素（１０）と接続状態にあり、前記第２の通信要素（１０）はＧＰＳモジュール（１１）を備え、
前記第２のアスリート（２）によってカバーされた実際の距離（Ｓ２）を測定するために、第２の制御及び／又は計算手段が前記第２の通信要素（１０）に又は前記第２の通信要素（１０）内に配置されている、第２のスポーツ用衣服（８）と、を備え、
前記第１の通信要素（５）及び前記第２の通信要素（１０）は、前記第１の通信要素（５）と前記第２の通信要素（１０）との間で通信を確立するように設計されており、
前記第１のアスリート（１）の前記実際の距離（Ｓ１）が前記第２のアスリート（２）の前記実際の距離（Ｓ２）よりも大きい場合に、前記第１の信号要素（４）によって所定の第１の信号（ＳＩ１）を発するために、第１の制御手段（１２）が前記第１のスポーツ用衣服（３）に又は前記第１のスポーツ用衣服（３）内に設けられており、前記第１のアスリート（１）の前記実際の距離（Ｓ１）が前記第２のアスリート（２）の前記実際の距離（Ｓ２）よりも大きい場合に、前記第２の信号要素（９）によって所定の第２の信号（ＳＩ２）を発するために、第２の制御手段が前記第２のスポーツ用衣服（８）に又は前記第１のスポーツ用衣服（８）内に設けられており、
前記第１のアスリート（１）の前記実際の距離（Ｓ１）が前記第２のアスリート（２）の前記実際の距離（Ｓ２）よりも小さい場合に、前記第１の信号要素（４）によって前記所定の第２の信号（ＳＩ２）が発せられ、前記第１のアスリート（１）の前記実際の距離（Ｓ１）が前記第２のアスリート（２）の前記実際の距離（Ｓ２）よりも小さい場合に、前記第２の信号要素（９）によって前記所定の第１の信号（ＳＩ１）が発せられ、
前記第１の制御手段（１２）及び／又は前記第２の制御手段は、前記第１のアスリート（１）の前記実際の距離（Ｓ１）と前記第２のアスリート（２）の前記実際の距離（Ｓ２）とが等しい場合は、前記第１のアスリート（１）の前記実際の距離（Ｓ１）と前記第２のアスリート（２）の前記実際の距離（Ｓ２）との間の比の所定の許容誤差を考慮に入れて、前記第１の信号要素（４）及び／又は前記第２の信号要素（９）によって、信号を発しないか、又は所定の第３の信号を発するように設計されており、前記許容誤差を決定するための、前記第１のアスリート（１）の前記実際の距離（Ｓ１）と前記第２のアスリート（２）の前記実際の距離（Ｓ２）との間の比は０．９〜１．１である
ことを特徴とするシステム。
【請求項２】
２人のアスリート（１、２）、特に走者のトレーニング又は２人のアスリート（１、２）間の競技を実施するためのシステムであって、前記システムは、
第１のアスリート（１）のための第１のスポーツ用衣服（３）であって、前記第１のスポーツ用衣服（３）は、前記第１のアスリート（１）に信号を発するための少なくとも１つの第１の信号要素（４）を備え、前記第１の信号要素（４）は、光学信号を発することができ前記第１のスポーツ用衣服（３）に固定された、光ファイバー、ガラスファイバー、又はエレクトロルミネセント要素であり、前記第１のスポーツ用衣服（３）は、特に第１の携帯電話である第１の通信要素（５）を備えるか、又は第１の通信要素（５）と接続状態にあり、前記第１の通信要素（５）はＧＰＳモジュール（６）を備え、
前記第１のアスリート（１）の実際の速度（Ｖ１）を測定するために、第１の制御及び／又は計算手段（７）が、前記第１の通信要素（５）に又は前記第１の通信要素（５）内に配置されている、第１のスポーツ用衣服（３）と、
第２のアスリート（２）のための第２のスポーツ用衣服（８）であって、前記第２のスポーツ用衣服（８）は、前記第２のアスリート（２）に信号を発するための少なくとも１つの第２の信号要素（９）を備え、前記第２の信号要素（９）は、光学信号を発することができ前記第２のスポーツ用衣服（８）に固定された、光ファイバー、ガラスファイバー、又はエレクトロルミネセント要素であり、前記第２のスポーツ用衣服（８）は、特に第２の携帯電話である第２の通信要素（１０）を備えるか、又は第２の通信要素（１０）と接続状態にあり、前記第２の通信要素（１０）はＧＰＳモジュール（１１）を備え、
前記第２のアスリート（２）の実際の速度（Ｖ２）を測定するために、第２の制御及び／又は計算手段が前記第２の通信要素（１０）に又は前記第２の通信要素（１０）内に配置されている、第２のスポーツ用衣服（８）と、を備え、
前記第１の通信要素（５）及び前記第２の通信要素（１０）は、前記第１の通信要素（５）と前記第２の通信要素（１０）との間で通信を確立するように設計されており、
前記第１のアスリート（１）の前記実際の速度（Ｖ１）が前記第２のアスリート（２）の前記実際の速度（Ｖ２）よりも大きい場合に、前記第１の信号要素（４）によって所定の第１の信号（ＳＩ１）を発するために、第１の制御手段（１２）が前記第１のスポーツ用衣服（３）に又は前記第１のスポーツ用衣服（３）内に設けられており、前記第１のアスリート（１）の前記実際の速度（Ｖ１）が前記第２のアスリート（２）の前記実際の速度（Ｖ２）よりも大きい場合に、前記第２の信号要素（９）によって所定の第２の信号（ＳＩ２）を発するために、第２の制御手段が前記第２のスポーツ用衣服（８）に又は前記第１のスポーツ用衣服（８）内に設けられており、
前記第１のアスリート（１）の前記実際の速度（Ｖ１）が前記第２のアスリート（２）の前記実際の速度（Ｖ２）よりも小さい場合に、前記第１の信号要素（４）によって前記所定の第２の信号（ＳＩ２）が発せられ、前記第１のアスリート（１）の前記実際の速度（Ｖ１）が前記第２のアスリート（２）の前記実際の速度（Ｖ２）よりも小さい場合に、前記第２の信号要素（９）によって前記所定の第１の信号（ＳＩ１）が発せられ、
前記第１の制御手段（１２）及び／又は前記第２の制御手段は、前記第１のアスリート（１）の実際の速度（Ｖ１）と前記第２のアスリート（２）の前記実際の速度（Ｖ２）とが等しい場合は、前記第１のアスリート（１）の前記実際の速度（Ｖ１）と前記第２のアスリート（２）の前記実際の速度（Ｖ２）との間の比の所定の許容誤差を考慮に入れて、前記第１の信号要素（４）及び／又は前記第２の信号要素（９）によって、信号を発しないか、又は所定の第３の信号を発するように設計されており、前記許容誤差を決定するための、前記第１のアスリート（１）の前記実際の速度（Ｖ１）と前記第２のアスリート（２）の前記実際の速度（Ｖ２）との間の比は０．９〜１．１である
ことを特徴とするシステム。
【請求項３】
前記許容誤差を決定するための、前記第１のアスリート（１）の前記実際の距離（Ｓ１）と前記第２のアスリート（２）の前記実際の距離（Ｓ２）との間の比が０．９５〜１．０５、好ましくは０．９９〜１．０１である
請求項１に記載のシステム。
【請求項４】
前記所定の第１の信号（ＳＩ１）及び／又は前記所定の第２の信号（ＳＩ２）は、前記第１のアスリート（１）の前記実際の距離（Ｓ１）と前記第２のアスリート（２）の前記実際の距離（Ｓ２）との間の差に依存する
請求項１または３に記載のシステム。
【請求項５】
前記許容誤差を決定するための、前記第１のアスリート（１）の前記実際の速度（Ｖ１）と前記第２のアスリート（２）の前記実際の速度（Ｖ２）との間の比が０．９５〜１．０５、好ましくは０．９９〜１．０１である
請求項２に記載のシステム。
【請求項６】
前記所定の第１の信号（ＳＩ１）及び／又は前記所定の第２の信号（ＳＩ２）が、前記第１のアスリート（１）の前記実際の速度（Ｖ１）と前記第２のアスリート（２）の前記実際の速度（Ｖ２）との間の差に依存する
請求項２または５に記載のシステム。
【請求項７】
前記第１のスポーツ用衣服（３）及び／又は前記第２のスポーツ用衣服（８）は、前記通信要素（５、１０）を受け入れる又は保持するための受入チャンバ（１３）又は保持デバイスを有する
請求項１ないし６のいずれかに記載のシステム。
【請求項８】
前記第１のスポーツ用衣服及び／又は前記第２のスポーツ用衣服はスポーツジャケットである
請求項１ないし７のいずれかに記載のシステム。
【請求項９】
前記第１の信号要素（４）及び／又は前記第２の信号要素（９）は前記スポーツジャケットの腕袖（１４、１５）に固定されている
請求項８に記載のシステム。
【請求項１０】
前記第１の制御及び／又は計算手段（７）、及び／又は、前記第２の制御及び／又は計算手段（７）は、前記第１の通信要素（５）及び／又は前記第２の通信要素（１０）に組み込まれている
請求項１ないし９のいずれかに記載のシステム。
【請求項１１】
前記所定の第１の信号（ＳＩ１）は緑色光であり、前記所定の第２の信号（ＳＩ２）は赤色光である
請求項１ないし１０のいずれかに記載のシステム。
【請求項１２】
前記第１の制御手段（１２）は前記第１の通信要素（５）内に組み込まれており、前記第２の制御手段は前記第２の通信要素（１０）内に組み込まれており、前記通信要素（５、１０）内に格納されたアプリを介して利用可能である
請求項１ないし１１のいずれかに記載のシステム。
【発明の詳細な説明】
【技術分野】
【０００１】
本発明は、２人のアスリートのトレーニング又は２人のアスリート間の競技を実施するためのシステムに関する。
【背景技術】
【０００２】
特に２人の走者のランニングトレーニングを実施すること、又は特に２人の走者間のランニング競技を行うことには需要がある。これは、２人の走者が同じスポーツ施設を使用していて、従って２人の走者が実際のパフォーマンスに関して互いに観察することができる場合だけでない。２人のアスリートが互いを観察することは、走者が別の走者から離れてトレーニングを行っている場合には不可能である。例えば自転車競技者やスキーヤーのような別の種類の２人のアスリート間のトレーニング又は競技に関しても同じことが当てはまる。
【先行技術文献】
【特許文献】
【０００３】
【特許文献１】欧州特許出願公開第２２８３３７９Ａ１号
【特許文献２】国際公開第２０１６／０７４６８９Ａ１号
【発明の概要】
【０００４】
欧州特許出願公開第２２８３３７９Ａ１号（特許文献１）は、第１及び第２の無線競技デバイスを使用して遠隔地にいる競争者と運動競技に参加する方法を開示している。  無線競技デバイスは携帯電話を備える。アスリートは、携帯電話の画面を見たときに、競技状況及び自分のパフォーマンスに関して知ることができる。国際公開第２０１６／０７４６８９Ａ１号（特許文献２）は、未知のランニング経路を走るアスリートのためのナビゲーションシステムを開示している。
【０００５】
従って、本発明の目的は、アスリートが別のアスリートから（遠く）離れている場合に、アスリートの実際のパフォーマンスの相互観察を可能にするシステムを提供することである。とりわけ、２人のアスリートがアスリート間の競技中にそれぞれのパフォーマンスを観察することが可能になるはずである。
【０００６】
本発明によるこの目的の解決策は、システムが、
第１のアスリート用の第１のスポーツ用衣服であって、第１のスポーツ用衣服は、第１のアスリートに信号を発するための少なくとも１つの第１の信号要素を備え、第１の信号要素は、光学信号を発することができ第１のスポーツ用衣服に固定された、光ファイバー、ガラスファイバー、又はエレクトロルミネセント要素であり、第１のスポーツ用衣服は、特に第１の携帯電話である第１の通信要素を備えるか、又は第１の通信要素と接続状態にあり、第１の通信要素はＧＰＳモジュールを備え、
第１のアスリートによってカバーされた実際の距離を測定するために、第１の制御及び／又は計算手段が、第１の通信要素に又は第１の通信要素内に配置されている、第１のスポーツ用衣服と、
第２のアスリート用の第２のスポーツ用衣服であって、第２のスポーツ用衣服は、第２のアスリートに信号を発するための少なくとも１つの第２の信号要素を備え、第２の信号要素は、光学信号を発することができ第２のスポーツ用衣服に固定された、光ファイバー、ガラスファイバー、又はエレクトロルミネセント要素であり、第２のスポーツ用衣服は、特に第２の携帯電話である第２の通信要素を備えるか、又は第２の通信要素と接続状態にあり、第２の通信要素はＧＰＳモジュールを備え、
第２のアスリートによってカバーされた実際の距離を測定するために、第２の制御及び／又は計算手段が第２の通信要素に又は第２の通信要素内に配置されている、第２のスポーツ用衣服と、を備え、
第１の通信要素及び第２の通信要素は、第１の通信要素と第２の通信要素との間で通信を確立するように設計されており、
第１のアスリートの実際の距離が第２のアスリートの実際の距離よりも大きい場合に、第１の信号要素によって所定の第１の信号を発するために、第１の制御手段が第１のスポーツ用衣服に又は第１のスポーツ用衣服内に設けられており、第１のアスリートの実際の距離が第２のアスリートの実際の距離よりも大きい場合に、第２の信号要素によって所定の第２の信号を発するために、第２の制御手段が第２のスポーツ用衣服に又は第２のスポーツ用衣服内に設けられており、
第１のアスリートの実際の距離が第２のアスリートの実際の距離よりも小さい場合に、第１の信号要素によって所定の第２の信号が発せられ、第１のアスリートの実際の距離が第２のアスリートの実際の距離よりも小さい場合に、第２の信号要素によって所定の第１の信号が発せられ、
第１の制御手段及び／又は第２の制御手段は、第１のアスリートの実際の距離と第２のアスリートの実際の距離とが等しい場合は、第１のアスリートの実際の距離と第２のアスリートの実際の距離との間の比の所定の許容誤差を考慮に入れて、第１の信号要素及び／又は第２の信号要素によって、信号を発しないか、又は所定の（第１及び第２の信号とは異なる）第３の信号を発するように設計され、許容誤差を決定するための、第１のアスリートの実際の距離と第２のアスリートの実際の距離との間の比は０．９〜１．１である。
【０００７】
上述の第１の通信要素及び第２の通信要素は好ましくは携帯電話であるが、第１の通信要素と第２の通信要素との間で無線通信を確立できる他の同等の要素を考慮に入れることもできる。
【０００８】
従って、本発明による概念は、その範囲において、通信要素、特に携帯電話を、それぞれのＧＰＳモジュールと共に用いることに基づいており、ＧＰＳモジュールにより、２人のアスリートの各々によってカバーされた（規定の出発点からの）実際の（走行）距離、すなわち出発点からアスリートの実際の位置までの距離を計算することが可能である。この情報は、２人のアスリートを比較するために、すなわち、どちらのアスリートが出発点から、より長距離をカバーしているかを知るために使用される。この比較に従って、信号手段によって信号が両方のアスリートに発せられる。すなわち、より長い距離をカバーしたアスリートへ第１の信号が、より短い距離をカバーしたアスリートへ（第１の信号とは異なる）第２の信号が発せられる。
【０００９】
通信は、好ましくは２つの携帯電話を介して行われるので、２人のアスリートは世界中の異なる場所で競技をすることができ、すなわち同じスポーツ施設を使用する必要がない。
【００１０】
そうすることで、２人のアスリートは自分のパフォーマンスを比較することができる。すなわち、誰が「速い」か、誰が「遅い」かを示す永続的な信号伝達がある。
【００１１】
本発明による概念は、（出発点からカバーされた距離を比較する代わりに）２人のアスリートの（走行）速度の比較のために使用することもできる。この場合、システムは基本的に同じ要素を備え、今度は、第１のアスリートの実際の速度を測定するために、第１の制御及び／又は計算手段が、第１の通信要素に又は第１の通信要素内に配置され、第２のアスリートの実際の速度を測定するために、第２の制御及び／又は計算手段が第２の通信要素に又は第２の通信要素内に配置され、
第１のアスリートの実際の速度が第２のアスリートの実際の速度よりも大きい場合に、第１の信号要素によって所定の第１の信号を発するために、第１の制御手段が第１のスポーツ用衣服に又は第１のスポーツ用衣服内に設けられており、第１のアスリートの実際の速度が第２のアスリートの実際の速度よりも大きい場合に、第２の信号要素によって所定の第２の信号を発するために、第２の制御手段が第２のスポーツ用衣服に又は第２のスポーツ用衣服内に設けられており、
第１のアスリートの実際の速度が第２のアスリートの実際の速度よりも小さい場合に、第１の信号要素によって所定の第２の信号が発せられ、第１のアスリートの実際の速度が第２のアスリートの実際の速度よりも小さい場合に、第２の信号要素によって所定の第１の信号が発せられ、
第１の制御手段及び／又は第２の制御手段は、第１のアスリートの実際の速度と第２のアスリートの実際の速度とが等しい場合は、第１のアスリートの実際の速度と第２のアスリートの実際の速度との間の比の所定の許容誤差を考慮に入れて、第１の信号要素及び／又は第２の信号要素によって、信号を発しないか、又は所定の（第１及び第２の信号とは異なる）第３の信号を発するように設計され、許容誤差を決定するための、第１のアスリートの実際の速度と第２のアスリートの実際の速度との間の比は０．９〜１．１である。
【００１２】
よって、２人のアスリート（特に走者）の実際の（走行）速度が、すなわち、実際に誰が速いか誰が遅いかが、２人のアスリートに表示されるか又は信号伝達され得る。
【００１３】
そうすることによって、実際のパフォーマンスの信号伝達が均質化され、これは２人のアスリートが同様のパフォーマンスを提供する場合に有益であり得る。とりわけ、この場合、許容誤差を決定するための、第１のアスリートの実際の距離と第２のアスリートの実際の距離との比は、０．９５〜１．０５、好ましくは０．９９〜１．０１があり得る（代替として、許容誤差として、カバーされた距離の間の絶対差が、例えば５０ｍ、２０ｍ、又は１０ｍである）。
【００１４】
提案された概念を更に発展させると、所定の第１の信号及び／又は所定の第２の信号が、第１のアスリートの実際の距離と第２のアスリートの実際の距離との間の差に依存することが示唆される。従って、この場合、言及された差に応じて、発せられた信号はその強度が変化し得る。これは、アスリートに、彼らのパフォーマンスの違いがどれほど大きいかに関するヒントを与え得る。ここでは、（光）信号の強度を考慮に入れることができる（２人のアスリートのパフォーマンスの差に応じて光強度を大きくする又は小さくする）。代替として、２人のアスリートのパフォーマンスの差に依存させて、光信号に対して周期的な中断を提供することができる。中断の頻度を、上述の差の大きさと共に大きくすることができる。また、光の色を変えることができる（下記のように、距離が大きくなるほど緑色光又は赤色光が「暗く」なる）。
【００１５】
（カバーされた距離の代わりに）速度の調査に関しては、許容誤差を決定するための、第１のアスリートの実際の速度と第２のアスリートの実際の速度との比が、０．９５〜１．０５、好ましくは０．９９〜１．０１であるように、光がアナログ形式で提供され得る。
【００１６】
ここでは、所定の第１の信号及び／又は所定の第２の信号もまた、第１のアスリートの実際の速度と第２のアスリートの実際の速度との間の差に依存し得る。
【００１７】
第１のスポーツ用衣服及び／又は第２のスポーツ用衣服は、通信要素（携帯電話）を受け入れる又は保持するための受入チャンバ又は保持デバイスを有し得る。
【００１８】
第１のスポーツ用衣服及び／又は第２のスポーツ用衣服はスポーツジャケットであり得る。この場合、第１の信号要素及び／又は第２の信号要素は、スポーツジャケットの腕袖に固定され得る。これにより、発せられた信号をアスリートが観察することが容易になる。
【００１９】
第１の制御及び／又は計算手段、及び／又は、第２の制御及び／又は計算手段は、第１及び／又は第２の通信要素（携帯電話）に組み込むことができる。
【００２０】
有益には、所定の第１の信号は緑色（又は青色）光であり、所定の第２の信号は好ましくは赤色光である。よって、アスリートは、自分が速いアスリートか又は遅いアスリートかを知ることは容易である。
【００２１】
第１の制御手段は第１の通信要素（携帯電話）に組み込むことができ、第２の制御手段は第２の通信要素（携帯電話）に組み込むことができる。ここでは、これらの機能が、通信要素（携帯電話）内に格納されたアプリ（ソフトウェアアプリケーション）を介して利用可能であることが好ましい。
【００２２】
ジャケット、特にランニングジャケットなどが好ましいが、本発明による概念を例えば（ランニング）シャツ、ベスト、ズボンのような他の衣服に適用することも可能である。
【００２３】
上述の第１の信号と第２の信号との間の頻繁な切り替えを回避するために、上述のように、信号の計算に許容誤差を使用することを考慮に入れることができる。この場合、カバーされた距離又は速度に対する前述の許容誤差を越えるまで、最後の信号が維持される。前述の許容誤差内の状態は、第３の信号、特に第３の色を発することによってアスリートに信号伝達され得る。すなわち、所定の第１、第２及び第３の信号は互いに異なる。
【００２４】
すなわち、例えば、出発点から、より大きな距離をカバーしたアスリートが第１のアスリートの場合は、緑色光信号が第１のアスリートに発せられる場合があり、同時に、赤色光信号が、出発点から、より小さい距離をカバーした第２のアスリートに発せられる。カバーされた距離が基本的に等しいか又は上述の許容誤差内にある場合は、青色光信号が両方のアスリートに発せられ、両方のアスリートが現在同じパフォーマンスにあることを示し得る。
【００２５】
通信要素（携帯電話）と衣服内の残りのデバイスとの間の通信は、好ましくは無線で行われる。接続手段は好ましくは、Ｂｌｕｅ  Ｔｏｏｔｈ（登録商標）接続を確立するための要素を備え、これは当該技術分野において周知であるので、ここで詳細に説明する必要はない。
【００２６】
各単一の発光要素は、衣服の左の領域内又は右の領域内に配置され得る。衣服は好ましくは、少なくともアスリートの肘まで達する２つの腕袖を有する。
【００２７】
データ（カバーされた距離又は速度）の調査は継続的に行われるため、変更はアスリートに直ちに表示され得る。
【００２８】
従って、本発明は、トレーニング又は競技中の実際のカバーされた距離、又はアスリートの実際の速度を決定し、両方のアスリートに、誰がより速いアスリートか及び誰がより遅いアスリートかを表示するために、好ましくはスマートフォンである２つの通信要素を、それぞれのＧＰＳナビゲーション機能と共に使用するという考えに基づいている。アスリート間の通信が通信要素（携帯電話）を介して行われるので、２人のアスリートが遠く離れた場所、例えば異なる町でスポーツをしている競技又は挑戦をすることが可能になる。
【００２９】
有益なことに、２つの異なる光学要素（光ファイバー／ガラスファイバー／エレクトロルミネセント要素）が衣服の袖において衣服に固定されて、表示された情報を容易な形でアスリートに見えるようにしている。
【００３０】
光学要素は、スポーツ中に着用されるそれぞれの通信要素（スマートフォン）と通信するＢｌｕｅ  Ｔｏｏｔｈ（登録商標）装置と接続され得る。状況に応じて、及び通信要素（スマートフォン）によって制御され、光は、通信要素（スマートフォン）からＢｌｕｅ  Ｔｏｏｔｈ（登録商標）を介して、その情報を取得する制御要素によって個別の光ファイバーに発せられる。
【００３１】
提案されたシステムは有益には、２人の走者の間のランニングトレーニング又はランニング競技に関連して使用される。しかし、本システムはもちろんトレーニングや競技を行っている他のアスリート、特に自転車乗り、スキーヤー又は歩行者にも好適である。
【００３２】
図面には本発明の実施形態が示されている。
【図面の簡単な説明】
【００３３】
【図１】遠く離れた場所でランニング競技を行っている２人の走者を示す。
【図２】ランニングジャケットであるスポーツ用衣服の正面図を示す。
【図３】第１の走者によって取られるコースを概略的に示す。
【図４】本発明によるシステムのいくつかの構成要素及びその機能を概略的に示す。
【発明を実施するための形態】
【００３４】
図１では、２人の走者１及び２が示され、それぞれ第１のスポーツ用衣服３及び第２のスポーツ用衣服８を着ている。２人の走者１、２は遠く離れた場所で、すなわち異なる町でランニングしており、ランニング競技を実施したいと考えている。
【００３５】
（走者１の状況を示す）図３に関して、走者は各自の競技を各自の出発位置（ＳＴ１）で開始し、出発位置から終了位置（ＥＮ１）に至る規定のコースをランニングしている。ある時点で、走者は実際の位置（ＡＣ１）に位置している。この位置までで、走者はそれぞれ、実際の走行距離Ｓ１（走者１）及びＳ２（走者２）をカバーしている。更には、実際の走行速度は、走者１がＶ１、走者２がＶ２である。
【００３６】
両方のスポーツ用衣服３、８は信号要素４、９を備える。第１の信号要素４は第１の衣服３に取り付けられるか又は組み込まれ、第２の信号要素９は第２の衣服８に取り付けられるか又は組み込まれている。図示した実施形態では、信号要素４、９は、所望の色の光信号を表示できるガラスファイバーである。
【００３７】
これを図２に示す。ここでは、２つの（長い）腕袖１４及び１５を有するランナーズジャケットであるスポーツ用衣服３、８が示されている。衣服３、８の内側には、携帯電話を挿入できる受入チャンバ１３が配置されている。光ファイバーである発光要素４、９（又は２つの別々の発光要素）が衣服３、８内に配置され、衣服３、８の袖領域の中を延びている。
【００３８】
図４には、説明したシステムの機能の原理を示す。
【００３９】
両方の衣服３、８は携帯電話５及び１０と通信状態にある。第１の携帯電話５は第１の衣服３の中に又は第１の衣服３に配置され、第２の携帯電話１０は第２の衣服８の中に又は第２の衣服８に配置されている。各携帯電話５、１０は、ＧＰＳモジュール６、１１を有する。
【００４０】
ＧＰＳモジュール６、１０により、走者の実際の位置ＡＣ１（図３参照）を決定することが容易である。実際の位置ＡＣ１を取得する制御及び／又は計算手段７は、（走者がどのルートを走るかを、それぞれのストリートマップを介して知っていれば）走者が出発位置ＳＴ１から実際にカバーした距離、すなわち実際の走行距離Ｓ１を計算することができる。図４に概略的に示すように、この観察／計算は両方の走者１、２について実施される。従って、実際の走行距離Ｓ１及びＳ２は手元にあり、制御手段１２において比較することができる。
【００４１】
基本的に両方の衣服３、８は制御手段１２（第１及び第２の制御手段）を装着することができ、実際の走行距離Ｓ１及びＳ２の転送は携帯電話を介して行われる（図４にフラッシュで示す）。
【００４２】
ここで、第１の衣服３について図４に示すように、２人の走者１、２の両方の実際の走行距離が、比較（Ｓ１＞Ｓ２、又はＳ１＜Ｓ２）を行うために利用可能である。この比較に応じて、制御手段１２は、第１の信号要素（ガラスファイバー）に対して、Ｓ１＞Ｓ２の場合は所定の第１の信号ＳＩ１（例えば緑色光「ｇ」）を発するか、又はＳ１＜Ｓ２の場合は所定の第２の信号ＳＩ２（例えば赤色光「ｒ」）を発する。走者１は、自分の衣服のガラスファイバーの光の色を容易に観察することができ、走者２と比較して、自分が「速い」走者であるか、又は「遅い」走者であるかを知る。それぞれの他の信号が走者２の衣服に表示されるので、走者２は基本的に同じ情報を持つ。
【００４３】
上述のように、両方の走者がこれまで実質的に等しい距離をカバーしている場合、信号又は所定の第３の光信号（例えば、青色光）は発せられ得ない。ここで、第１の信号と第２の信号との間の頻繁な切り替えを回避するために許容誤差を考慮に入れることができる。
【００４４】
携帯電話５、１０は、接続手段（例えば、Ｂｌｕｅ  Ｔｏｏｔｈ（登録商標）接続）を介して制御及び／又は計算手段７と通信することができる。
【００４５】
それぞれの光を表示するために、制御手段１２は発光ダイオード（ＬＥＤ）を有する。ＬＥＤは信号要素４、９と接続されている。ＬＥＤは、上述の要件に従って異なる色の光を発するように特に設計されている。
【００４６】
挑戦又は競技を行うために、２人の走者は携帯電話による競技を構成することができ、構成を助けるために、携帯電話用に、それぞれのアプリ（ソフトウェアアプリケーション）を使用することができる。例えば、２人の走者にとって当然異なるそれぞれの出発位置（ＳＴ１）から、５ｋｍの走行距離で合意することができる。実際に優れたパフォーマンスの走者は「緑色光」を受け取り、遅い走者は「赤色光」を受け取る。パフォーマンスが変化すると、それに応じて、これも変わる。
【００４７】
これまでは、出発位置ＳＴ１から実際にカバーした距離Ｓ１を信号伝達するためアイデアについての説明である。
【００４８】
同様に、２人の走者１、２の実際の走行速度Ｖ１とＶ２の比較に基づいて信号を発することができる。この場合、実際に、より速い走者（緑色光）及びより遅い走者（赤色光）の両方の走者に、それぞれの信号が発せられる。
【符号の説明】
【００４９】
１  アスリート（走者）
２  アスリート（走者）
３  第１のスポーツ用衣服
４  第１の信号要素
５  第１の通信要素（第１の携帯電話）
６  ＧＰＳモジュール
７  第１の制御及び／又は計算手段
８  第２のスポーツ用衣服
９  第２の信号要素
１０  第２の通信要素（第２の携帯電話）
１１  ＧＰＳモジュール
１２  第１の制御手段
１３  受入チャンバ
１４  腕袖
１５  腕袖
Ｓ１  第１のアスリート（走者）の実際の（走行）距離
Ｓ２  第２のアスリート（走者）の実際の（走行）距離
Ｖ１  第１のアスリート（走者）の実際の（走行）速度
Ｖ２  第２のアスリート（走者）の実際の（走行）速度
ＳＩ１  所定の第１の信号
ＳＩ２  所定の第２の信号
ＳＴ１  アスリート（走者）１の出発位置
ＥＮ１  アスリート（走者）１の終了位置
ＡＣ１  アスリート（走者）１の実際の位置
【図１】
0006914339.tif 000002
【図２】
0006914339.tif 000003
【図３】
0006914339.tif 000004
【図４】
0006914339.tif 000005